(57)【要約】【課題】極めてコンパクトで持ち運びやすく、場所を選ばずどこでも練習することができ、しかも練習効果が高いパット練習具を提供する。【解決手段】パット練習グリーン上に置かれてパット練習時の打球目標とされる薄型シートであって、薄型シートには、グリーン上で薄型シートを固定すべくボールマークまたはティーペッグ等の差込み具を差し込むための孔部が設けられている。薄型シートは、ホールカップと等しい直径を備える円形の平面形状とされ、またはホールカップと等しい直径を備える平面円形に相当する部位と、前記部位の円周上一部または全部に延長成形された周縁部位とを一体に有する平面形状とされる。薄型シートは、グリーンのアンジュレーションに沿って変形可能な材質または厚みよりなる。【選択図】図１
0003155343.tif 000002
【実用新案登録請求の範囲】
【請求項１】
パット練習グリーン上に置かれてパット練習時の打球目標とされる薄型シートであって、前記薄型シートには、前記グリーン上で前記薄型シートを固定すべくボールマークまたはティーペッグ等の差込み具を差し込むための孔部が設けられていることを特徴とするパット練習具。
【請求項２】
請求項１記載のパット練習具において、
前記薄型シートは、ホールカップと等しい直径を備える円形の平面形状であることを特徴とするパット練習具。
【請求項３】
請求項１記載のパット練習具において、
前記薄型シートは、ホールカップと等しい直径を備える平面円形に相当する部位と、前記部位の円周上一部または全部に延長成形された周縁部位とを一体に有する平面形状であることを特徴とするパット練習具。
【請求項４】
請求項３記載のパット練習具において、
前記両部位を一体に有する前記薄型シートは、パット練習時にショットしたボールが所定距離オーバーランしても前記薄型シート上で停止し、前記所定距離を越えてオーバーランすると前記薄型シート上から外れる平面形状であることを特徴とするパット練習具。
【請求項５】
請求項１ないし４の何れかに記載のパット練習具において、
前記薄型シートは、前記グリーンのアンジュレーションに沿って変形可能な材質または厚みよりなることを特徴とするパット練習具。
【請求項６】
請求項１ないし５の何れかに記載のパット練習具において、
前記薄型シートの平面上には、パット練習時の目測の目安とすべく２本の直線が交差した態様の十文字模様が設けられていることを特徴とするパット練習具。
【考案の詳細な説明】
【技術分野】
【０００１】
本考案は、ゴルフのパットを練習するときに用いるパット練習具に関する。本考案のパット練習具は、パット練習グリーン上に置かれてパット練習時の打球目標とされる薄型シートよりなる。
【背景技術】
【０００２】
パター練習グリーンでパットを練習するときこれまでは、カップを切りポールを立てるか、あるいは跨式ポールを用いるかして練習を行なっている。
【０００３】
しかしながら、前者の場合には、カップを切るために多大な手間がかかる不都合があり、後者の場合には、手間はかからないがポールの脚部が目障りで邪魔になりパットの実感を損なう不都合がある。また両者とも多くのプレーヤーで賑わうパター練習グリーンでは設備数に限りがあるため、一人一人のプレーヤーの利用時間が制限され、よって十分に練習することができない不都合がある。
【０００４】
また従来、図６に示すように中央部１２から周辺部１３にかけて傾斜面１４によって形成された楕円状パット台本体１１にカップ穴１５を設けた構造のパット練習具（ゴルフパット台）１０が提案されているが、この構造によると打球時にボールが傾斜面１４を登ってゆくことになるために、ボールの転がり速度や方向が不自然に変化してしまう不都合がある（特許文献１参照）。
【先行技術文献】
【特許文献】
【０００５】
【特許文献１】実開平５−６３５７３号公報
【考案の概要】
【考案が解決しようとする課題】
【０００６】
本考案は以上の点に鑑みて、極めてコンパクトで持ち運びやすく、場所を選ばず何処でも何時でも練習することができ、しかも練習効果が高いパット練習具を提供することを目的とする。
【課題を解決するための手段】
【０００７】
上記目的を達成するため、本考案の請求項１によるパット練習具は、パット練習グリーン上に置かれてパット練習時の打球目標とされる薄型シートであって、前記薄型シートには、前記グリーン上で前記薄型シートを固定すべくボールマークまたはティーペッグ等の差込み具を差し込むための孔部が設けられていることを特徴とする。
【０００８】
また、本考案の請求項２によるパット練習具は、上記した請求項１記載のパット練習具において、前記薄型シートは、ホールカップと等しい直径を備える円形の平面形状であることを特徴とする。
【０００９】
また、本考案の請求項３によるパット練習具は、上記した請求項１記載のパット練習具において、前記薄型シートは、ホールカップと等しい直径を備える平面円形に相当する部位と、前記部位の円周上一部または全部に延長成形された周縁部位とを一体に有する平面形状であることを特徴とする。
【００１０】
また、本考案の請求項４によるパット練習具は、上記した請求項３記載のパット練習具において、前記両部位を一体に有する前記薄型シートは、パット練習時にショットしたボールが所定距離オーバーランしても前記薄型シート上で停止し、前記所定距離を越えてオーバーランすると前記薄型シート上から外れる平面形状であることを特徴とする。
【００１１】
また、本考案の請求項５によるパット練習具は、上記した請求項１ないし４の何れかに記載のパット練習具において、前記薄型シートは、前記グリーンのアンジュレーションに沿って変形可能な材質または厚みよりなることを特徴とする。
【００１２】
更にまた、本考案の請求項６によるパット練習具は、上記した請求項１ないし５の何れかに記載のパット練習具において、前記薄型シートの平面上には、パット練習時の目測の目安とすべく２本の直線が交差した態様の十文字模様が設けられていることを特徴とする。
【００１３】
本考案のパット練習具は、パット練習グリーン上に置かれてパット練習時の打球目標とされる薄型シートよりなり、この薄型シートのみよりなる。したがって当該パット練習具は扁平なシートであって使用者の衣服のポケットやバッグ等に入るほどのものであるため、あるいは折り曲げたり筒状に丸めたりすることも可能であるため、極めてコンパクトで持ち運びやすく、またパター練習グリーン上のカップが切られていないところでも屋内のカーペットや絨毯上でも場所を選ばず何処でも何時でも好きなときに練習することができる。また跨式ポールのような脚部がなく従来のパット台（図６）のような傾斜面がないため、実感度の高い練習を行なうことが可能で、これにより練習効果を高めることができる。
【００１４】
尚、このような薄型シートは軽量であるので、屋外のパット練習グリーンで用いるときに風で飛ばされてしまうことが懸念される。そこで、これに対処するため本考案では、薄型シートに予め孔部を設け、この孔部にボールマークまたはティーペッグ等の差込み具を差し込んで薄型シートをグリーン上に固定することにした。ボールマークはプレー中ボールの位置を示すために用いるピン状の小道具であり、ティーペッグ（単にティーとも称する）は打球時にボールをティーアップするために用いる同じくピン状の小道具であって何れもゴルフをする人なら誰でも持っているので、特別なシート固定具を準備する必要はない。孔部の大きさは１〜３ｍｍ程度あれば十分であって、ティーペッグを用いる場合でもこれを深めに差し込めばその頭部がパット練習の邪魔になることはない。シート平面における孔部の形成位置や形成数は特に限定されないが、シートがホールカップと等しい直径を備える円形の平面形状の場合には、その中心部に１箇所設ければ十分である。
【００１５】
本考案のパット練習具は、薄型シートが例えば、ホールカップと等しい直径を備える円形の平面形状よりなり、あるいはホールカップと等しい直径を備える平面円形に相当する部位（円形相当部位とも称する）と、前記円形相当部位の円周上一部または全部に延長成形された周縁部位（平面拡大部位とも称する）とを一体に有する平面形状よりなる。周縁部位は、ボールマークやティーペッグ等を差し込む孔部を円形相当部位に設けたくないとき（ボールマークやティーペッグ等の頭部が円形相当部位の上に突き出ていると邪魔であると思われるとき）に、代わってここに孔部を設けるのに好適である。
【００１６】
また、両部位を一体に有する薄型シートが、パット練習時にショットしたボールが円形相当部位から所定距離オーバーランしても薄型シート上で停止し、所定距離を越えてオーバーランすると薄型シート上から外れる平面形状であると、ボールが薄型シート上で停止することを目標としてパットの練習を繰り返すことによってパットの力加減の正確性を獲得することができる。ホールカップの直径は約１０８ｍｍであるため、シート全体の平面形状を円形に形成する場合、上記所定距離を２０ｃｍとするとシートの直径は約５０８ｍｍとなり、その中心にホールカップを示す直径約１０８ｍｍの円形が印刷されることになる。上記所定距離を２０ｃｍとするのは本願考案者のゴルフキャリアによるが、これに限定されるものではなく、例えば１５〜３０ｃｍ程度であっても良い。
【００１７】
また、本考案のパット練習具は、薄型シートが、グリーンのアンジュレーションに沿って変形可能な材質または厚みよりなることが好ましく、これによれば薄型シートをグリーン上に置くと薄型シートがアンジュレーションに適合してフィットし、グリーンの表面とほぼ一体化する。したがってアンジュレーションに沿った実感度の高い練習を行なうことができる。薄型シートの材質としては、天然ゴム、合成ゴム、シリコン系高分子材料、紙、布または軟性の合成樹脂材料などが好適であり、薄型シートの厚みとしては、薄いほうが好ましいので、１．０ｍｍ以下が好適である。
【００１８】
更にまた、当該パット練習具を使ってのパット練習効果を一層高めるには、以下のことが考えられる。
【００１９】
すなわち薄型シートがホールカップと等しい直径を備える円形の平面形状であれば通常、薄型シートの平面上には何も模様を施さなくても良いところ、特に２本の直線が円形の中心部で交差する態様の十文字模様を設ける。そして練習時には、十文字の交点（シート中心）と、いずれか１本の直線およびシート周縁の円の交点と、ボールとを一直線上に置き（いずれか１本の直線の延長線上にボールを置き）、この状態でボールをショットする。するとそのショットの力加減によりボールの曲がり具合が判るので、曲がる前にカップインさせることが可能な力加減の正確性を取得することができる。
【考案の効果】
【００２０】
本考案は、以下の効果を奏する。
【００２１】
すなわち、以上説明したように本考案によれば、極めてコンパクトで持ち運びやすく、場所を選ばず何処でも何時でも練習することができ、しかも練習効果が高いパット練習具を提供することができる。また、グリーン上で薄型シートを固定するためボールマークまたはティーペッグ等の差込み具を差し込む孔部が設けられているので、孔部にこれら差込み具を差し込んでグリーンに固定することにより、薄型シートが風で飛ばされることもない。
【００２２】
また、薄型シートの一部として周縁部位を設ける場合には、そこに孔部を設けてボールマークまたはティーペッグ等の差込み具を差し込むことができ、ショットしたボールが所定距離を越えてオーバーランすると薄型シート上から外れる場合には、ボールが薄型シート上で停止することを目標としてパットの練習を繰り返すことによりパットの力加減の正確性を獲得することができる。
【００２３】
また、薄型シートがグリーンのアンジュレーションに沿って変形可能な材質または厚みよりなる場合には、アンジュレーションに沿った実感度の高い練習を行なうことができ、薄型シートの平面上に十文字模様を設ける場合には、これを目測の目安としてパット練習を行なうことによりパット練習効果を一層高めることができる。
【図面の簡単な説明】
【００２４】
【図１】本考案の実施例に係るパット練習具の斜視図
【図２】同パット練習具の柔軟性を示す説明図
【図３】（Ａ）は同パット練習具の平面図、（Ｂ）ないし（Ｄ）はそれぞれ本考案の他の実施例に係るパット練習具の平面図
【図４】（Ａ）ないし（Ｄ）はそれぞれ本考案の他の実施例に係るパット練習具の平面図
【図５】本考案の他の実施例に係るパット練習具の平面図
【図６】従来例に係るパット練習台の斜視図
【考案を実施するための形態】
【００２５】
つぎに本考案の実施例を図面にしたがって説明する。
【００２６】
図１は、本考案の実施例に係るパット練習具１を示しており、当該実施例に係るパット練習具１は以下のように構成されている。
【００２７】
すなわち当該パット練習具１は、パット練習グリーン上に置かれてパット練習時の打球目標とされる薄型シート（単にシートとも称する）２よりなり、このシート２には、グリーン上で当該シート２を固定すべくボールマーク２１を差し込むための孔部３が設けられている。またこのシート２は、ホールカップと等しい約１０８ｍｍの直径を備える円形の平面形状に成形され、厚みは一定であり、その中心部に一箇所、前記孔部３が厚み方向に貫通するように設けられている。孔部３の大きさは約１．０ｍｍとされている。ボールマーク２１は円板状の頭部２２の下面中央にピン部２３を一体成形した樹脂製の部品であって、ゴルフ場の設備品がそのまま利用される。尚、図１では作図の都合上、孔部３の大きさおよびピン部２３の太さを多少誇張して描いている。ボールマーク２１はこれに代えてティーペッグ（図示せず）を用いても良く、この場合には孔部３の大きさを若干大きめに形成しても良い。
【００２８】
また、シート２は、グリーンのアンジュレーションに沿って変形可能な材質または厚みによって成形され、具体的には例えばシリコン系高分子材料によって厚み約０．３ｍｍの円形シート状に成形されている。
【００２９】
また、シート２の平面上に、パット練習時の目測の目安とすべく２本の直線（直径線）５，５がシート２の平面上中心部で交差（直交）する態様の十文字模様４が印刷等の手段によって設けられている。図１では、各直線５の端部がシート２の周縁部まで達しているが、達していなくても良い。直線５の幅や彩色は任意とする。この十文字模様４の利用方法は上記したとおりである。
【００３０】
上記構成のパット練習具１は、図２に示すようにこれを手指Ｕの先に載せると左右の両端部が垂れ下がるほど変形しやすいものであり、よってこれをグリーン上に置くとアンジュレーションに適合して良くフィットすることになる。
【００３１】
上記構成のパット練習具１は、上記したように極めてコンパクトで持ち運びやすく、場所を選ばず何処でも何時でも練習することができ、しかも練習効果が高いものである。また、孔部３にボールマーク２１を差し込んで固定することによりシート２が風で飛ばされるのを有効に防止することができ、十文字模様４を利用して練習を行なうことによりパット練習効果を一層高めることができる。
【００３２】
薄型シート２の平面形状については、以下のようなバリエーションが考えられる。
【００３３】
すなわち上記実施例では、シート２は、図１に既に示しかつ図３（Ａ）に示すようにホールカップと等しい約１０８ｍｍの直径を備える円形の平面形状とされているが、これをホールカップと等しい約１０８ｍｍの直径を備える平面円形に相当する部位（円形相当部位）６と、この円形相当部位６の円周上一部または全部に延長成形された周縁部位７とを一体に有する平面形状とし、薄型シート２の平面積を実質拡大する。
【００３４】
例えば図３（Ｂ）に示す例では、パット練習時における打球方向Ｐから見て、円形相当部位６の後縁部にほぼ半円形を呈する同幅の周縁部位７が設けられている。図３（Ｃ）の例では、パット練習時における打球方向Ｐから見て、円形相当部位６の後縁部にほぼ矩形を呈する同幅の周縁部位７が設けられている。図３（Ｄ）の例では、パット練習時における打球方向Ｐから見て、円形相当部位６の斜め四隅にそれぞれ周縁部位７が設けられてシート２全体の平面形状が正方形とされている。これらの例ではシート２全体の横幅が図３（Ａ）の場合と同じであるので、円形相当部位６であることを示す線や彩色は印刷されても良いが印刷されなくても良い。孔部３は円形相当部位６の中心に設けても良いが、周縁部位７に設けても良く、例えば図３（Ｂ）および（Ｃ）の例では周縁部位７の幅方向中央に１箇所、図３（Ｄ）の例では円形相当部位６の後縁部側に位置する２箇所の周縁部位７に１箇所ずつ設けられている。
【００３５】
図４（Ａ）の例では、パット練習時における打球方向Ｐから見て、円形相当部位６の左右両側にそれぞれ周縁部位７が設けられてシート２全体の平面形状が横長の長方形とされている。図４（Ｂ）の例では、パット練習時における打球方向Ｐから見て、円形相当部位６の左右両側にそれぞれ周縁部位７が設けられてシート２全体の平面形状が横長の長円形とされている。図４（Ｃ）の例では、パット練習時における打球方向Ｐから見て、円形相当部位６の左右両側にそれぞれ周縁部位７が設けられてシート２全体の平面形状が横長の楕円形とされている。図４（Ｄ）の例では、パット練習時における打球方向Ｐから見て、円形相当部位６の左右両側および後縁部にそれぞれ周縁部位７が設けられてシート２全体の平面形状が三角形（正三角形）とされている。これらの例では薄型シート２全体の横幅が図３（Ａ）の場合よりも拡大するので、円形相当部位６であることを示す線や彩色が印刷されている。孔部３は円形相当部位６の中心に設けても良いが、周縁部位７に設けても良く、例えば図４（Ａ）、（Ｂ）および（Ｃ）の例では左右の周縁部位７に１箇所ずつ、図４（Ｄ）の例では３箇所の周縁部位７に１箇所ずつ設けられている。
【００３６】
また、図５の例では、円形相当部位６および周縁部位７を一体に有する薄型シート２が、パット練習時にショットしたボールが円形相当部位６から２０ｃｍオーバーランしても薄型シート２上で停止し、但し２０ｃｍを越えてオーバーランすると薄型シート２上から外れる平面形状とされ、具体的には例えば円形相当部位６の直径は１０８ｍｍであるので、シート２全体の平面形状は直径約５０８ｍｍの円形とされている。この例では薄型シート２全体の平面形状の中に円形相当部位６の平面形状が完全に取り込まれるので、円形相当部位６であることを示す線や彩色が印刷されている。孔部３は円形相当部位６に設けても良いが、周縁部位７に設けても良い。
【００３７】
尚、上記パット練習具１の主な利点・特徴を箇条書きすると、以下のようになる。
（１）パター練習グリーンのアンジュレーションに適合する。
（２）パット、とくにショートパットの力加減の取得ができる。
（３）中心の孔部に足付きのボールマークを差し込むと風に飛ばされなくなる。
（４）屋内のカーペットまたは絨毯上で練習できる。
（５）パター練習グリーンでの練習目標は、通常カップを切りポールを立てるか、または、跨式ポールを練習目標とする。本件の練習具はカップを切る必要はなく、また、跨式ポールと違い足がないので邪魔になることはない。
【００３８】
（６）本件の練習具は、その平面上に広告を印刷することにより、広告媒体として利用できる。
（７）本件の練習具の中心に十文字を印刷し、中心にある孔部と、平面円形の薄型シートの円周と直線の交点、およびボールを一直線上に置き、ボールをショットすると、その力加減によりボールの曲がり具合が判るので、曲がる前にカップインさせる力加減を取得できる。
（８）オーバーランの練習用として、カップの反対側の淵より２０ｃｍ以内（カップオーバー領域）にボールを停止したいとすれば、外径約５０８ｍｍが領域提示円で直径約１０８ｍｍを同心円として印刷する。
（９）練習グリーン上が混み合っていれば、それを避けられる場所で練習できる。
（１０）シートの材質については、天然ゴム板、合成ゴム板、シリコン系高分子材料、紙、軟性の合成樹脂材料などが好適であり、シートの厚みは１．０ｍｍ以下が好適である。
【符号の説明】
【００３９】
１  パット練習具
２  薄型シート
３  孔部
４  十文字模様
５  直線
６  円形相当部位
７  周縁部位
２１  ボールマーク
２２  頭部
２３  ピン部
【図１】
0003155343.tif 000003
【図２】
0003155343.tif 000004
【図３】
0003155343.tif 000005
【図４】
0003155343.tif 000006
【図５】
0003155343.tif 000007
【図６】
0003155343.tif 000008